(57)【特許請求の範囲】
【請求項１】
装着者の手の小指、薬指および中指をそれぞれ受入れる小指部、薬指部および中指部を有し、対象物を把持する際に装着するスポーツ用手袋（１）であって、
手の甲側を覆う手甲部（２）と、
前記手甲部（２）に取り付けられ、一端が前記手袋（１）の小指部、薬指部および中指部の付根部近傍にそれぞれ固定される第１、第２および第３弾性部材（６ａ，６ｂ，６ｃ）と、
前記第１、第２および第３弾性部材（６ａ，６ｂ，６ｃ）の他端に取り付けられ、前記手甲部（２）に着脱可能であり、かつ固定位置を変更可能な固定部材（７）とを備え、
前記固定部材（７）を前記手甲部（２）に固定した際に、前記第１、第２および第３弾性部材（６ａ，６ｂ，６ｃ）と前記固定部材（７）とが、前記小指部、薬指部および中指部の付根部から前記親指部の付根部に向かう方向に順に並ぶように配置された、スポーツ用手袋。
【請求項２】
前記第１、第２および第３弾性部材（６ａ，６ｂ，６ｃ）を、前記手袋（１）における手の基節骨（１０）対応部と中手指節関節（１２）対応部の少なくとも１つの部分上に配置した、請求項１に記載のスポーツ用手袋。
【請求項３】
前記小指部、薬指部および中指部は、第１伸縮性を有する第１素材部（４）と、前記第１伸縮性よりも高い第２伸縮性を有する第２素材部（５）とを含み、
前記第１、第２および第３弾性部材（６ａ，６ｂ，６ｃ）を、前記小指部、薬指部および中指部の前記第１素材部（４）とそれぞれ接続した、請求項１または請求項２に記載のスポーツ用手袋。
【請求項４】
装着者の手の小指、薬指および中指をそれぞれ受入れる小指部、薬指部および中指部を有し、対象物を把持する際に装着するスポーツ用手袋（１）であって、
手の甲側を覆う手甲部（２）と、
前記手甲部（２）に取り付けられ、一端が前記手袋（１）の小指部、薬指部および中指部の付根部近傍に固定される弾性部材（６ｄ）と、
前記弾性部材（６ｄ）の他端に取り付けられ、前記手甲部（２）に着脱可能であり、かつ固定位置を変更可能な固定部材（７）とを備え、
前記固定部材（７）を前記手甲部（２）に固定した際に、前記弾性部材（６ｄ）と前記固定部材（７）とが、前記小指部、薬指部および中指部の付根部から前記親指部の付根部に向かう方向に順に並ぶように配置された、スポーツ用手袋。
【請求項５】
前記弾性部材（６ｄ）を、前記手袋（１）における手の基節骨（１０）対応部と中手指節関節（１２）対応部の少なくとも１つの部分上に配置した、請求項４に記載のスポーツ用手袋。
【請求項６】
前記小指部、薬指部および中指部は、第１伸縮性を有する第１素材部（４）と、前記第１伸縮性よりも高い第２伸縮性を有する第２素材部（５）とを含み、
前記弾性部材（６ｄ）を、第１素材部（４）と接続した、請求項４または請求項５に記載のスポーツ用手袋。
【請求項７】
装着者の手の小指、薬指および中指をそれぞれ受入れる小指部、薬指部および中指部を有し、対象物を把持する際に装着するスポーツ用手袋（１）であって、
手の甲側を覆う手甲部（２）と、
前記手甲部（２）に取り付けられ、一端が前記手袋（１）の中指部の付根部近傍と固定される第１弾性部材（６ｆ）と、
前記手甲部（２）に取り付けられ、一端が前記手袋（１）の小指部の付根部近傍と固定される第２弾性部材（６ｇ）と、
前記第１および第２弾性部材（６ｆ，６ｇ）の他端に取り付けられ、前記手甲部（２）に着脱可能であり、かつ固定位置を変更可能な固定部材（７）とを備え、
前記固定部材（７）を前記手甲部（２）に固定した際に、前記第１および第２弾性部材（６ｆ，６ｇ）と前記固定部材（７）とが、前記小指部、薬指部および中指部の付根部から前記親指部の付根部に向かう方向に順に並ぶように配置された、スポーツ用手袋。
【請求項８】
前記固定部材（７）は平板状部材を含み、前記固定部材（７）を前記手甲部（２）に固定した際に前記小指部、薬指部および中指部の付根部から前記親指部の付根部に向かう方向に延在し、
前記固定部材（７）の裏面に第１面ファスナ（１７）を設け、
前記手甲部（２）に、前記第１面ファスナ（１７）と接続される第２面ファスナ（１８）を設けた、請求項１から請求項７のいずれかに記載のスポーツ用手袋。
【請求項９】
前記第２面ファスナ（１８）は、前記手甲部（２）における手の中手骨（１１）対応部に配置され、前記小指部、薬指部および中指部の付根部から前記親指部の付根部に向かう方向に延在する、請求項８に記載のスポーツ用手袋。
【発明の詳細な説明】
【０００１】
【発明の属する技術分野】
本発明は、スポーツ用手袋に関し、より特定的には、各種スポーツの中で球状体や棒状体を把持する競技で用いられるスポーツ用手袋に関する。
【０００２】
【従来の技術】
従来から、球状体や棒状体等の対象物を把持する競技で用いられる従来のスポーツ用手袋では、対象物を把持し易くするための種々の工夫がなされている。
【０００３】
たとえば特開平6-121859号公報に記載のスポーツ用手袋では、手甲部に緊締用帯状体を設けている。また、実開昭57-90177号公報には、甲部締付用ファスナ片を取付けたスポーツ用手袋が開示されている。また、実開昭64-3671号公報には、手甲部にゴムバンドを取付けたゴルフ用手袋が開示されている。また、Ｕ.Ｓ.Ｐ.5740555号には、手甲部にＹ形のストラップ部材を設けたスポーツ用手袋が開示されている。
【０００４】
【特許文献１】
特開平6-121859号公報
【０００５】
【特許文献２】
実開昭57-90177号公報
【０００６】
【特許文献３】
実開昭64-3671号公報
【０００７】
【特許文献４】
米国特許第5740555号明細書
【０００８】
【発明が解決しようとする課題】
しかしながら、特開平6-121859号公報に記載のスポーツ用手袋では、帯状体により手甲部に締付力を付与することができるが、各指毎に締付力を調節することは困難である。特に、対象物をグリップする際には、小指、薬指および中指に付与される締付力を個別に調節できることが望まれるが、上記スポーツ用手袋ではこれらの指に対する締付力を個別に調節することは困難である。
【０００９】
また、実開昭57-90177号公報に記載のスポーツ用手袋では、手首の締付力を調整できるが、小指、薬指および中指に付与される締付力を個別に調節することは困難である。
【００１０】
実開昭64-3671号公報に記載のゴルフ用手袋では、ゴムバンドを手甲部から手掌部に巻き付け、小指、薬指および中指をゴムバンドで押えつけるようにしている。しかし、このゴルフ用手袋によっても、小指、薬指および中指に付与される締付力を個別に調節することは困難である。
【００１１】
Ｕ.Ｓ.Ｐ.5740555号に記載のスポーツ用手袋では、Ｙ形のストラップ部材は弾性ストラップセグメントを有している。しかし、該弾性ストラップセグメントはＹ形のストラップ部材の中央部に設けられており、弾性ストラップセグメントと小指、薬指および中指の間には、Ｙ形のストラップのパネル等の他のパーツが設けられている。したがって、本スポーツ用手袋においても、小指、薬指および中指に付与される締付力を個別に調節することは困難である。
【００１２】
本発明は、上記の課題を解決するためになされたものである。本発明の目的は、対象物を把持した時に小指、薬指および中指に付与される締付力を個別に調節することができるスポーツ用手袋を提供することにある。
【００１３】
【課題を解決するための手段】
本発明に係るスポーツ用手袋は、装着者の手の小指、薬指および中指をそれぞれ受入れる小指部、薬指部および中指部を有し、対象物を把持する際に装着する手袋である。本発明に係るスポーツ用手袋は、１つの局面では、手の甲側を覆う手甲部と、手甲部に取り付けられ、一端が手袋の小指部、薬指部および中指部の付根部近傍にそれぞれ固定される第１、第２および第３弾性部材と、第１、第２および第３弾性部材の他端に取り付けられ、手甲部に着脱可能であり、かつ固定位置を変更可能な固定部材とを備える。
【００１４】
上記のように第１、第２および第３弾性部材一端は、小指部、薬指部および中指部と接続され、他端は固定部材と接続される。したがって、固定部材を手甲部に固定した状態で対象物を把持することにより、第１、第２および第３弾性部材はそれぞれ伸びることとなる。このとき該弾性部材の弾性作用により小指、薬指および中指を締め付けることができ、同時に小指、薬指および中指に対して曲げ抵抗を付与することができる。よって、該曲げ抵抗により手掌全体による対象物の把持力に対する小指、薬指および中指による対象物の把持力の割合を高め、小指、薬指および中指でしっかりと対象物を把持することができる。そして、小指、薬指および中指のいずれかの指に対する締付力が不充分な場合には、固定部材の固定位置を変更することにより、第１、第２および第３弾性部材による小指、薬指および中指に対する弾性作用の程度を変化させることができる。
【００１５】
上記第１、第２および第３弾性部材を、小指部、薬指部および中指部の付根部近傍に配置し、固定部材を手甲部に固定した際に、第１、第２および第３弾性部材と、固定部材とが、小指部、薬指部および中指部の付根部から親指部の付根部に向かう斜め方向に順に並ぶように配置される。
【００１６】
それにより、対象物を把持したときに第１、第２および第３弾性部材によって小指部、薬指部および中指部に対し、上記の各指部から親指部の付根部に向かう斜め方向に引張る力を付与することができる。よって、対象物を把持したときに小指、薬指および中指を締め付けることができ、小指、薬指および中指でしっかりと対象物を把持することができる。
【００１７】
上記第１、第２および第３弾性部材を、手袋における手の基節骨対応部と中手指節関節対応部の少なくとも１つの部分上に配置することが好ましい。ここで、「基節骨対応部」とは、本願明細書では、手袋を手に装着した際に手の基節骨上に位置する部分のことをいう。「中手骨対応部」および「中手指節関節対応部」も同様である。
【００１８】
上記の位置に第１、第２および第３弾性部材を配置することにより、対象物を把持したときに第１、第２および第３弾性部材が伸び、該弾性部材によって小指部、薬指部および中指部を、親指部の付根部側に引張ることができる。それにより、小指、薬指および中指に対し適度な締付力を付与することができる。
【００１９】
上記小指部、薬指部および中指部は、第１伸縮性を有する第１素材部と、第１伸縮性よりも高い第２伸縮性を有する第２素材部とを含むものであってもよい。この場合、第１、第２および第３弾性部材を、小指部、薬指部および中指部の第１素材部とそれぞれ接続する。
【００２０】
このように相対的に伸縮性の低い第１素材部に上記弾性部材を接続することにより、より効果的に小指、薬指および中指に対し締付力を付与することができる。また、伸縮性の高い第２素材部を設けることにより、手袋の装着状態において各指部が曲げ易くなり、対象物を把持し易くなる。
【００２１】
本発明に係るスポーツ用手袋は、他の局面では、手の甲側を覆う手甲部と、手甲部に取り付けられ、一端が手袋の小指部、薬指部および中指部の付根部近傍に固定される弾性部材と、弾性部材の他端に取り付けられ、手甲部に着脱可能であり、かつ固定位置を変更可能な固定部材とを備える。
【００２２】
本発明に係るスポーツ用手袋は、さらに他の局面では、手の甲側を覆う手甲部と、手甲部に取り付けられ、一端が手袋の中指部の付根部近傍に固定される第１弾性部材と、手甲部に取り付けられ、一端が手袋の小指部の付根部近傍に固定される第２弾性部材と、手甲部に着脱可能であり、かつ固定位置を変更可能な固定部材とを備える。
【００２３】
なお、第１弾性部材は、薬指部と接続されていてもよく、また第２弾性部材が薬指部と接続されていてもよい。したがって、第１および第２弾性部材と各指部との接続パターンとしては以下の場合がある。すなわち、第１弾性部材の一端が手袋の中指部および薬指部と接続され、第２弾性部材の一端が手袋の子指部と接続される場合、第１弾性部材の一端が手袋の中指部と接続され、第２弾性部材の一端が手袋の薬指部および子指部と接続される場合、第１弾性部材の一端が手袋の中指部および薬指部と接続され、第２弾性部材の一端が手袋の薬指部および子指部と接続される場合、第１弾性部材の一端が手袋の中指部と接続され、第２弾性部材の一端が手袋の子指部と接続される場合がある。
【００２４】
弾性部材が第１、第２および第３弾性部材で構成される場合や、第１および第２弾性部材で構成される場合のいずれの局面の場合にも、対象物を把持したときに弾性部材の弾性作用により小指、薬指および中指を適度に締め付けることができ、小指、薬指および中指でしっかりと対象物を把持することができる。また、固定部材の固定位置を変更することにより、弾性部材による小指、薬指および中指の少なくとも１つの指に対する弾性作用の程度を変化させることができる。
【００２５】
上記のいずれの局面の場合も、弾性部材を、小指部、薬指部および中指部の付根部近傍に配置し、固定部材を手甲部に固定した際に、該弾性部材と、固定部材とが、小指部、薬指部および中指部の付根部から親指部の付根部に向かう斜め方向に順に並ぶように配置される。
【００２６】
また、弾性部材を、手袋における手の基節骨対応部と中手指節関節対応部の少なくとも１つの部分上に配置することが好ましい。
【００２７】
また手袋の小指部、薬指部および中指部が、第１伸縮性を有する第１素材部と、第１伸縮性よりも高い第２伸縮性を有する第２素材部とを含む場合、弾性部材を、第１素材部と接続することが好ましい。
【００２８】
上記固定部材は、平板状部材を含み、固定部材を手甲部に固定した際に手袋の小指部、薬指部および中指部の付根部から親指部の付根部に向かう斜め方向に延在してもよい。また、固定部材の裏面に第１面ファスナを設け、手甲部に、該第１面ファスナと接続される第２面ファスナを設けることが好ましい。
【００２９】
このように固定部材と手甲部とに第１と第２面ファスナを設けることにより、固定部材の位置を任意の方向に変えることができ、また固定部材の位置の微調整も行える。それにより、小指、薬指および中指に対する弾性部材による弾性作用の程度を適切に調節することができる。
【００３０】
上記第２面ファスナは、好ましくは、手甲部における手の中手骨対応部に配置され、小指部、薬指部および中指部の付根部から親指部の付根部に向かう斜め方向に延在する。
【００３１】
それにより、固定部材の位置を上記斜め方向に変更することができ、小指、薬指および中指の中の所望の指に対する弾性部材による締付力を増大することができる。
【００３２】
【発明の実施の形態】
本実施の形態のスポーツ用手袋は、対象物を把持する際に装着する手袋であり、手の甲側を覆う手甲部と、手掌側を覆う手掌部と、手の挿入部とを備える。また、該手袋は、手の親指（第１指）を受け入れる親指部と、人指し指（第２指）を受け入れる人指し指部と、中指（第３指）を受け入れる中指部と、薬指（第４指）を受け入れる薬指部と、小指（第５指）を受け入れる小指部とを有する。
【００３３】
手袋の手甲部には、弾性部材と、固定部材とを取付ける。弾性部材は、対象物を把持したときに手袋の指部に締付力を付与する。固定部材は、弾性部材の端部を手甲部に固定し、対象物を把持したときに弾性部材を伸張させる。該弾性部材と、固定部材は、手袋の小指部、薬指部あるいは中指部の付根部から親指部の付根部に向かう斜め方向に並べることが好ましい。
【００３４】
かかる弾性部材と固定部材とを手甲部に取り付けることにより、対象物を把持したときに弾性部材が伸張し、該弾性部材の弾性作用により手袋の小指部、薬指部および中指部が親指の付根に向かう方向に引張られる。それにより、対象物を把持したときに、小指、薬指および中指を適度に締め付けることができ、同時に小指、薬指および中指に対して曲げ抵抗を付与することになる。よって、該曲げ抵抗により手掌全体による対象物の把持力に対する小指、薬指および中指による対象物の把持力の割合を高め、小指、薬指および中指でしっかりと対象物を把持することができる。
【００３５】
該弾性部材の一端は、手袋の小指部、薬指部および中指部の少なくとも１つの指部とそれぞれ接続される。好ましくは、弾性部材は、手袋の小指部、薬指部および中指部の付根部直下に配置され、弾性部材の一端は、これらの指部から連続して延びる部分と直接接続される。弾性部材の他端は、固定部材と接続される。したがって、弾性部材は、手袋の小指部、薬指部および中指部と、固定部材との間に配置されることとなる。
【００３６】
弾性部材は、小指部、薬指部および中指部のそれぞれに対し個別に設けてもよく、複数の指部に対し共通に設けてもよい。たとえば小指部、薬指部および中指部のいずれか２つの指部に対し共通の弾性部材を設けてもよく、３つの指部に対し共通の弾性部材を設けてもよい。
【００３７】
弾性部材は、手袋における手の基節骨対応部、中手骨対応部および中手指節関節対応部からなる群から選ばれた少なくとも１つの部分上に配置することが好ましい。
【００３８】
典型的には、弾性部材は、中手指節関節対応部あるいはその近傍上に配置すればよい。しかし、弾性部材は、中手指節関節近傍に位置する中手骨対応部から中手指節関節対応部に延在するように設けられてもよく、中手指節関節近傍に位置する基節骨対応部から中手指節関節対応部に延在するように設けられてもよい。かかる位置に弾性部材を配置することにより、小指、薬指および中指に対して曲げ抵抗を付与することができる。したがって、該曲げ抵抗により手掌全体による対象物の把持力に対する小指、薬指および中指による対象物の把持力の割合を高め、小指、薬指および中指でしっかりと対象物を把持することができる。
【００３９】
本実施の形態の手袋の小指部、薬指部および中指部は、第１伸縮性を有する第１素材部と、該第１伸縮性よりも高い第２伸縮性を有する第２素材部とを含むものであってもよい。この場合、弾性部材を、小指部、薬指部および中指部の第１素材部（相対的に伸縮性の低い部分）とそれぞれ接続することが好ましい。
【００４０】
それにより、対象物を把持したときに、より効果的に小指、薬指および中指に対し締付力および曲げ抵抗を付与することができる。また、伸縮性の高い第２素材部を設けることにより、手袋の装着状態において各指部が曲げ易くなり、対象物を把持し易くなる。
【００４１】
本実施の形態の弾性部材としては、人間の握力で容易に伸びる程度の所定の弾性あるいは伸縮性を有する部材を使用することができる。たとえばゴムバンド等の伸縮性生地を採用可能である。
【００４２】
本実施の形態の固定部材は、手甲部に着脱可能に取り付けられ、上述の弾性部材の手首側端部を手甲部に固定する。この固定部材の固定位置は変更可能である。それにより、弾性部材による小指、薬指および中指に対する弾性作用の程度を変化させることができる。たとえば、所望の指部に対する締付力のみが高くなるように調節することができる。
【００４３】
本実施の形態の固定部材として裏面にパイル状の第１面ファスナを有する平板状部材や布製のテープ等を使用することができる。この場合、手袋の手甲部に、該第１面ファスナと係合するフック状の第２面ファスナを設ければよい。それにより、第１面ファスナを第２面ファスナに押し付けるだけでこれらを接続することができ、弾性部材の他端を手袋の手甲部に固定することができる。
【００４４】
固定部材の固定位置を変えるには、第２面ファスナ上で第１面ファスナの位置をずらせばよい。具体的には、手で固定部材を第２面ファスナから取り外し、所望の位置に付け替えるだけでよい。したがって、小指、薬指および中指に対する弾性作用の程度を容易に調節することができる。
【００４５】
上記第２面ファスナは、好ましくは、手甲部における手の中手骨対応部に配置され、第１面ファスナの面積以上の面積を有する。それにより、第２面ファスナ上で第１面ファスナの位置を容易に変更することができ、弾性部材の弾性作用の程度を容易に調節することができる。
【００４６】
また、第２面ファスナは、小指部、薬指部あるいは中指部の付根部から親指部の付根部に向かう斜め方向に延在することが好ましい。それにより、該斜め方向に固定部材をすらせることができ、所望の指に作用する締付力を容易に増大することができる。
【００４７】
なお、固定部材の位置調節手段としては、固定部材の固定位置を変更できるものであれば上述の面ファスナ以外の任意の手段を採用可能である。たとえば、ホックを固定部材の位置調節手段として採用することも考えられる。この場合、互いに係合する複数のホックを固定部材と手甲部に取付ければよい。
【００４８】
手袋における手の挿入部には、ベルト等の手首への締付部材を取付ける。該締付部材は、締付力を調節できるものであることが好ましい。
【００４９】
【実施例】
以下、図１〜図９を用いて、本発明の実施例について説明する。
【００５０】
（実施例１）
図１は、本発明の実施例１におけるスポーツ用手袋１を手甲側から見た図である。図２は、図１の手袋１において固定部材７を手甲部２から取り外した状態を示す図である。図３は、図１の手袋１を手掌側から見た図である。このスポーツ用手袋１は、野球用の手袋であり、バッティング時に装着される。
【００５１】
図１および図３に示すように、本実施例のスポーツ用手袋１は、手の甲側を覆う手甲部２と、手掌側を覆う手掌部３と、弾性部材６ａ，６ｂ，６ｃと、固定部材７と、ベルト８とを備える。
【００５２】
手甲部２における小指部、薬指部、中指部は、第１伸縮性を有する第１素材部４と、該第１伸縮性よりも高い第２伸縮性を有する第２素材部５とを含む。第１素材部４材質としては、たとえば天然皮革を挙げることができ、第２素材部５の材質としては、たとえばニット素材であるツーウェイトリコット生地等を挙げることができる。
【００５３】
第１素材部４は、図１の例では、手袋１の小指部、薬指部、中指部の先端から中手指節関節１２（図１４参照）上あるいはその近傍上に延在し、さらに小指、薬指、中指の中手骨１１（図１４参照）上を斜めに横切って親指部の付根部に達している。つまり第１素材部４は、手甲部２において、手袋１の小指部、薬指部および中指部の付根部から親指部の付根部に向かう斜め方向に延在している。
【００５４】
ここで、図１４を用いて人の手の骨格について簡単に説明する。図１４に示すように、人の手は、基節骨１０、中手骨１１、中手指節関節１２、第２指節間関節１３、中節骨１４および末節骨１５を有する。
【００５５】
図１の例では、手袋１の小指部、薬指部および中指部の第１素材部４を手甲部２において一体化し、該一体化した第１素材部４を親指部の付根部に向かって斜め方向に延在させている。
【００５６】
上記の第１素材部４と接続されるように手甲部２に弾性部材６ａ，６ｂ，６ｃの一端を縫着する。このとき、弾性部材６ａ，６ｂ，６ｃ下に位置する第１素材部４に、切込み１９を設け、該切込み１９の中へ弾性部材６ａ，６ｂ，６ｃの一端を挿入する。弾性部材６ａ，６ｂ，６ｃは、たとえばゴムバンドで構成する。図１の例では、小指部、薬指部、中指部に対し、それぞれ弾性部材６ａ，６ｂ，６ｃを設けている。
【００５７】
弾性部材６ａ，６ｂ，６ｃの他端は、固定部材７に縫着される。固定部材７は、天然皮革等の比較的硬質で可撓性を有する平板状部材で構成され、弾性部材６ａ，６ｂ，６ｃを介して手甲部２に接続される。
【００５８】
固定部材７の裏面には、図２に示すように、パイル状の第１面ファスナ１７を取付ける。他方、手甲部２には、該第１面ファスナ１７と係合するフック状の第２面ファスナ１８を設ける。第１面ファスナ１７と第２面ファスナ１８は、典型的には、図２に示すように略同一形状を有し、略同一面積を有する。
【００５９】
図３に示すように、手掌部３の所定位置には、パッド９を縫着する。該パッド９を取付けることにより、バット等の対象物をグリップしたときの手にかかる負担を軽減することができ、手を保護することができる。
【００６０】
次に、図４を用いて本実施例の手袋１の作用について説明する。図４は、本実施例の手袋１を装着して把持対象物の一例であるバット１６をグリップしたときの状態を示す図である。
【００６１】
まず、本実施例の手袋１を手に装着してベルト８を締付ける。このとき、固定部材７を第２面ファスナ１８上の適当な位置に固定しておく。この状態で、図４に示すようにバット１６をグリップする。それにより、小指部、薬指部および中指部における第１素材部４が弾性部材６ａ，６ｂ，６ｃからそれぞれ引張力を受け、弾性部材６ａ，６ｂ，６ｃが伸びる。このときの弾性部材６ａ，６ｂ，６ｃの弾性力により、小指、薬指、中指が適度な締付力を受け、同時に小指、薬指および中指に対して曲げ抵抗が付与されることになる。よって、該曲げ抵抗により手掌全体によるバット１６の把持力に対する小指、薬指および中指によるバット１６の把持力の割合を高め、バット１６をしっかりとグリップすることができる。
【００６２】
しかし、人によって手の形や大きさが異なり、必ずしも所望の指に対し所望の締付力が得られない場合がある。この場合には、固定部材７を第２面ファスナ１８から取り外し、第２面ファスナ１８への固定部材７の固定位置を変える。それにより、弾性部材６ａ，６ｂ，６ｃにより各指に付与される弾性力を変化させることができ、各指ごとに締付力の調節を行える。
【００６３】
このとき、固定部材７の固定位置を変更するには、第１面ファスナ１７を第２面ファスナ１８から取り外し、再度第２面ファスナ１８に付け直すだけでよいので、容易に上記の締付力の調節を行うことができる。また、手甲部２への固定部材７の固定手段として面ファスナを使用することにより、固定部材７の固定位置の微調節をも行うこともできる。よって、小指、薬指および中指の少なくとも１つの指に対する締付力を微調節することができる。
【００６４】
（実施例２）
次に、図５から図８を用いて、本発明の実施例２について説明する。
【００６５】
図５は、本実施例２におけるスポーツ用手袋１を手甲側から見た図である。図６は、図５に示す手袋１において固定部材７を取り外した状態を示す図である。図７は、本実施例２の手袋１を手掌側から見た図である。図８は、本実施例２の手袋１を装着してバット１６をグリップしたときの状態を示す図である。
【００６６】
図５に示すように、本実施例２では、手袋１の小指部、薬指部、中指部に対し共通の弾性部材６ｄを設けている。該弾性部材６ｄは、小指部、薬指部および中指部から連続して延びる第１素材部４と直接接続されている。
【００６７】
本実施例の場合にも、各指部の第１素材部４を弾性部材６ｄと接続しているので、たとえば図８に示すように本実施例２の手袋１を装着してバット１６をグリップしたときに、小指、薬指および中指に対し適度な締付力を付与することができる。また、固定部材７の固定位置を調節することによって、実施例１の場合と同様に、小指、薬指および中指の少なくとも１つの指ごとに締付力を微調節することができる。
【００６８】
また、本実施例２では弾性部材６ｅを介して固定部材７の側部を手甲部２と接続している。それにより、固定部材７を強固に手甲部２に取付けることができるとともに、小指部の付根部下から親指部の付根部下に向かう方向にも手に締付力を付与することができる。なお、本実施例の弾性部材６ｄ、６ｅの材質は、上述の弾性部材６ａ〜６ｃと同様である。
【００６９】
さらに、図６に示すように、手甲部２に分断部２０を設け、第１素材部４を該分断部２０で中手指節関節１２対応部から中手骨１１対応部にかけて分断している。このように分断部２０を設けることにより、第１面ファスナ１７と第２面ファスナ１８との接合位置を大きくずらして該分断部２０よりも指部側に位置する手甲部２下に第２面ファスナ１８を配置することができ、該指部側部分と第２面ファスナ１８を有する手甲部２とを重ねることができる。それにより、対象物を把持したときの小指、薬指および中指の少なくとも１つの指に加わる締付力を増大することができる。
【００７０】
なお、分断部２０は、中手指節関節１２対応部から中手骨１１対応部および手首部まで延在し、手甲部２を分断するものであってもよい。また、分断部２０は、中手指節関節１２対応部に独立して設けたり、中手骨１１対応部に独立して設けてもよく、さらに分断部２０を連結する連結部分を設け、分断部２０の大きさを調整することも可能である。
【００７１】
上記以外の手袋１の構造については、各部の形状が若干相違するものの、実施例１の場合と基本的に同様であるので説明は省略する。
【００７２】
なお、本実施例２では、手袋１の小指部、薬指部、中指部に対し１つの弾性部材６ｄを設けたが、２つの指部に対し共通の弾性部材を設けてもよい。たとえば小指部と薬指部に共通の弾性部材を設け、中指部に対し別の弾性部材を設けてもよく、薬指部と中指部に共通の弾性部材を設け、小指部に対し別の弾性部材を設けてもよい。この場合も、同様の効果を期待できる。
【００７３】
（実施例３）
次に、図９および図１０を用いて、本発明の実施例３について説明する。
【００７４】
図９は、本実施例３におけるスポーツ用手袋１を手甲側から見た図である。図１０は、本実施例３の手袋１を装着してバット１６をグリップしたときの状態を示す図である。
【００７５】
図９に示すように、本実施例３では、薬指部と中指部に対し共通の弾性部材６ｆを設け、手袋１の小指部に対し弾性部材６ｇを設けている。弾性部材６ｆは中指部および薬指部の付根部と接続され、弾性部材６ｇは小指部の付根部と接続される。弾性部材６ｆと弾性部材６ｇとは、分離しており、弾性部材６ｆと弾性部材６ｇ間に間隙が存在する。この間隙は、小指部の付根部と、薬指部の付根部との間に位置している。これ以外の構成については、実施例２の場合と基本的に同様である。
【００７６】
本実施例３の場合も、各指部の第１素材部４を弾性部材６ｆ，６ｇと接続しているので、たとえば図１０に示すように本実施例３の手袋１を装着してバット１６をグリップしたときに、小指、薬指および中指に対し適度な締付力を付与することができる。
【００７７】
また、固定部材７の固定位置を適切に調節することによって、実施例１の場合と同様に、小指、薬指および中指の少なくとも１つの指ごとに締付力を微調節することもできる。さらに、本実施例３の場合には、薬指部および中指部に対し共通の弾性部材６ｆを設けているため薬指と中指に対し同時に締付力を調節することができ、また小指部に対し別途弾性部材６ｇを設けているため小指に対する締付力を薬指部および中指部とは独立して調節することもできる。
【００７８】
（実施例４）
次に、図１１を用いて、本発明の実施例４について説明する。図１１は、本実施例４におけるスポーツ用手袋１を手甲側から見た図である。
【００７９】
図１１に示すように、本実施例４では、中指部に対して弾性部材６ｆを設け、手袋１の小指部と薬指部に対し共通の弾性部材６ｇを設けている。弾性部材６ｆは中指部の付根部と接続され、弾性部材６ｇは小指部および薬指部の付根部と接続される。弾性部材６ｆと弾性部材６ｇとは分離しており、弾性部材６ｆと弾性部材６ｇ間に間隙が存在する。この間隙は、薬指部の付根部と、中指部の付根部との間に位置している。これら以外の構成や用途等については実施例３の場合と基本的に同様である。
【００８０】
（実施例５）
次に、図１２を用いて、本発明の実施例５について説明する。図１２は、本実施例５におけるスポーツ用手袋１を手甲側から見た図である。
【００８１】
図１２に示すように、本実施例５では、中指部と薬指部に対して共通の弾性部材６ｆを設け、手袋１の小指部と薬指部に対し共通の弾性部材６ｇを設けている。弾性部材６ｆは中指部および薬指部の付根部と接続され、弾性部材６ｇは小指部および薬指部の付根部と接続される。弾性部材６ｆと弾性部材６ｇとは分離しており、弾性部材６ｆと弾性部材６ｇ間に間隙が存在する。この間隙は、薬指部の付根部に位置している。これら以外の構成や用途等については実施例３および実施例４の場合と基本的に同様である。
【００８２】
（実施例６）
次に、図１３を用いて、本発明の実施例６について説明する。図１３は、本実施例６におけるスポーツ用手袋１を手甲側から見た図である。
【００８３】
図１３に示すように、本実施例６では、中指部に対して弾性部材６ｆを設け、手袋１の小指部に対して弾性部材６ｇを設けている。弾性部材６ｆは中指部の付根部と接続され、弾性部材６ｇは小指部の付根部と接続される。弾性部材６ｆと弾性部材６ｇとは分離しており、弾性部材６ｆと弾性部材６ｇ間に間隙が存在する。この間隙は、小指部の付根部と、中指部の付根部との間に位置している。これら以外の構成や用途等については実施例３から実施例５の場合と基本的に同様である。
【００８４】
なお、上述の実施の形態および実施例では、主に野球用手袋について説明したが、球状体や棒状体等の対象物を把持する際に用いるものであれば上記以外のスポーツで用いられる手袋に本発明を適用してもよい。
【００８５】
以上のように、この発明の実施の形態および実施例について説明を行ったが、今回開示した実施の形態および実施例はすべての点で例示であって制限的なものではないと考えられるべきである。本発明の範囲は、特許請求の範囲によって示され、特許請求の範囲と均等の意味および範囲内での全ての変更が含まれることが意図される。
【００８６】
【発明の効果】
本発明によれば、小指、薬指および中指でしっかりと対象物を把持することができるので、対象物を把持した時に小指、薬指および中指に意識を集中することができる。それにより、無駄な力を使うことなくリラックスした状態で対象物を把持することができる。それに加え、固定部材の固定位置を適切に変更することにより、対象物を把持した際に小指、薬指および中指に付与される締付力を個別に調節することができる。
【００８７】
また、手掌部で弛みや皺が発生するのを抑制することもできるので、手に対するフィット感が向上し、対象物を想像通りに握ることができ、微妙で繊細な運動を行なうことも可能となる。
【図面の簡単な説明】
【図１】  本発明の実施例１におけるスポーツ用手袋を手甲側から見た図である。
【図２】  図１のスポーツ用手袋において固定部材を外した状態を示す図である。
【図３】  図１のスポーツ用手袋を手掌側から見た図である。
【図４】  実施例１のスポーツ用手袋でバットをグリップした状態を示す図である。
【図５】  本発明の実施例２におけるスポーツ用手袋を手甲側から見た図である。
【図６】  図５のスポーツ用手袋において固定部材を外した状態を示す図である。
【図７】  図５のスポーツ用手袋を手掌側から見た図である。
【図８】  実施例２のスポーツ用手袋でバットをグリップした状態を示す図である。
【図９】  本発明の実施例３におけるスポーツ用手袋を手甲側から見た図である。
【図１０】  実施例３のスポーツ用手袋でバットをグリップした状態を示す図である。
【図１１】  本発明の実施例４におけるスポーツ用手袋を手甲側から見た図である。
【図１２】  本発明の実施例５におけるスポーツ用手袋を手甲側から見た図である。
【図１３】  本発明の実施例６におけるスポーツ用手袋を手甲側から見た図である。
【図１４】  人の手の骨格図である。
【符号の説明】
１  スポーツ用手袋、２  手甲部、３  手掌部、４  第１素材部、５  第２素材部、６ａ，６ｂ，６ｃ，６ｄ，６ｅ，６ｆ，６ｇ  弾性部材、７  固定部材、８  ベルト、９  パッド、１０  基節骨、１１  中手骨、１２  中手指節関節、１３  第２指節間関節、１４  中節骨、１５  末節骨、１６  バット、１７  第１面ファスナ、１８  第２面ファスナ、１９  切込み、２０  分断部。
【図１】
0003926731.tif 000002
【図２】
0003926731.tif 000003
【図３】
0003926731.tif 000004
【図４】
0003926731.tif 000005
【図５】
0003926731.tif 000006
【図６】
0003926731.tif 000007
【図７】
0003926731.tif 000008
【図８】
0003926731.tif 000009
【図９】
0003926731.tif 000010
【図１０】
0003926731.tif 000011
【図１１】
0003926731.tif 000012
【図１２】
0003926731.tif 000013
【図１３】
0003926731.tif 000014
【図１４】
0003926731.tif 000015